(57)【要約】【効果】本考案は、一種の販売インターフェイス整合システム１０であり、このシステム１０は複数の種類の商品を消費者に販売するように使用されることができる。【解決手段】この販売インターフェイス整合システム１０は、コントローラ１０３と、使用者インターフェイス１０２と、支払いインターフェイス１０４と、出力コントローラ１０５とを備え、このシステム１０は使用者インターフェイス１０２に表示された商品項目１０２１およびそれに対応する入力ユニット１０２２を介して、使用者から入力された複数の商品選択命令を受信して、出力コントローラ１０５を制御して使用者に商品を提供することができる。【選択図】図１
0003217001.tif 000002
【実用新案登録請求の範囲】
【請求項１】
消費者に多くの種類の商品を販売する販売インターフェイス整合システムであって、前記販売インターフェイス整合システムは、使用者インターフェイスと、支払インターフェイスと、コントローラと、出力コントローラと、ハウジングとを備え、
前記使用者インターフェイスは、少なくとも１つの商品項目を表示し、使用者が複数の商品を選択することにより入力された複数の商品を選択する複数の商品選択命令を受信する入力ユニットを備え、
前記支払いインターフェイスは、使用者の支払いを受け付けて支払情報を生成し、
前記コントローラにおいて、第一入力端は前記商品選択命令を受信するように前記入力ユニットの出力端に接続され、第二入力端は前記支払情報を受信するように前記支払いインターフェイスの出力端に接続され、第一出力端は商品出力命令を出力し、
前記出力コントローラの入力端は、前記コントローラの前記第一出力端に接続して前記商品出力命令を受信し、使用者が選択した商品を提供し、
前記ハウジングは、前記使用者インターフェイスと、前記支払いインターフェイスと、前記コントローラと、前記出力コントローラとを収容するように構成される
ことを特徴とする、販売インターフェイス整合システム。
【請求項２】
前記使用者インターフェイスは、サンプルの固定看板とタッチディスプレイ装置のうちの少なくとも１つをさらに備えることを特徴とする、請求項１に記載の販売インターフェイス整合システム。
【請求項３】
前記入力ユニットは、実体ボタン構造とタッチセンサ構造のうちの少なくとも１つを備えることを特徴とする、請求項１に記載の販売インターフェイス整合システム。
【請求項４】
前記支払いインターフェイスは、電子チケットセンサ、コードセンサおよびキャッシュセンサのうちの少なくとも１つを備えることを特徴とする、請求項１に記載の販売インターフェイス整合システム。
【請求項５】
前記出力コントローラは、商品供給部材、電子チッケト印刷部材、ＦＡＸ部材および電子レシート印刷部材のうちの少なくとも１つをさらに備えることを特徴とする、請求項１に記載の販売インターフェイス整合システム。
【請求項６】
前記コントローラは、返金命令を出力する第二出力端をさらに備え、
前記支払いインターフェイスの入力端は、前記コントローラの前記第二出力端にさらに接続し、前記返金命令を受信して返金することを特徴とする、請求項５に記載の販売インターフェイス整合システム。
【請求項７】
前記使用者インターフェイスは、残高を表示する第一表示区をさらに備え、前記第一表示区の制御端は前記コントローラの第三出力端に接続することを特徴とする、請求項１に記載の販売インターフェイス整合システム。
【請求項８】
前記使用者インターフェイスは、使用者が選択した商品のリストを同期に表示する第二表示区をさらに備え、前記第二表示区の入力端は前記コントローラの前記第三出力端に接続することを特徴とする、請求項７に記載の販売インターフェイス整合システム。
【請求項９】
前記使用者インターフェイスは、使用者による商品選択のキャンセルを検出するキャンセルユニットをさらに備え、前記コントローラは、第三入力端をさらに備え、前記第三入力端は前記キャンセルユニットに接続して使用者による商品選択をキャンセルする命令を受信し、前記コントローラの前記第三出力端はキャンセル命令を出力し、
前記第一表示区の入力端が前記キャンセル命令を受信した後、前記支払情報を表示し、
前記第二表示区の入力端が前記キャンセル命令を受信した後、商品選択命令を受信していない時の表示内容を表示することを特徴とする、請求項８に記載の販売インターフェイス整合システム。
【請求項１０】
前記使用者インターフェイスは、使用者の商品選択確認を検出する確認ユニットを備え、前記確認ユニットの出力端は前記コントローラの第一入力端に接続し、前記コントローラが使用者による商品選択を確認する命令を受信した後、前記コントローラの前記第一出力端が商品出力命令を出力することを特徴とする、請求項１に記載の販売インターフェイス整合システム。
【考案の詳細な説明】
【技術分野】
【０００１】
本考案は販売設備の技術分野に係わり、特に一種の販売インターフェイス整合システムに関する。
【背景技術】
【０００２】
従来の販売設備は、単一の商品項目に対して、一回の支払いで商品を消費者に提供する。消費者が大量の商品を購入するために販売設備を操作する場合に、支払い、商品項目の選択を繰り返すことに大量の時間と精神を無駄にする。
【０００３】
例えば、消費者が求める複数の種類の商品を販売設備が提供している場合に、消費者は支払い、商品選択、お釣りの過程を繰り返さなければならない。しかし、この販売設備が人の多い場所に設置される場合に、消費者の操作過程を減少するインターフェイス整合方法が提供できるなら、商品販売の効率を上がることができる。
【考案の概要】
【考案が解決しようとする課題】
【０００４】
本考案者は、従来技術の欠点を改善すべく、産業的な利用を増進する販売設備の商品販売過程を改善するように、一種のインターフェイス整合システムを設計した。
【課題を解決するための手段】
【０００５】
上記の従来技術の欠点を鑑みて、本考案は前記欠点を改善するように、一種の販売インターフェイス整合システムを提供する。本考案の目的により、消費者に多くの種類の商品を販売する販売インターフェイス整合システムであって、販売インターフェイス整合システムは、使用者インターフェイスと、支払インターフェイスと、コントローラと、出力コントローラと、ハウジングとを備え、使用者インターフェイスは、少なくとも１つの商品項目を表示し、使用者が入力した複数の商品を選択する複数の商品選択命令を受信する入力ユニットを備え、支払いインターフェイスは、使用者の支払いを受け付けて支払情報を生成し、コントローラにおいて、第一入力端は商品選択命令を受信するように入力ユニットの出力端に接続され、第二入力端は支払情報を受信するように支払いインターフェイスの出力端に接続され、第一出力端は商品出力命令を出力し、出力コントローラの入力端は、コントローラの第一出力端に接続して商品選択命令を受信し、使用者が選択された商品を提供し、ハウジングは、使用者インターフェイスと、支払いインターフェイスと、コントローラと、出力コントローラとを収容するように構成される。
【０００６】
より好ましくは、使用者インターフェイスは、サンプルの固定看板とタッチディスプレイ装置のうちの少なくとも１つをさらに備える。
【０００７】
より好ましくは、入力ユニットは、実体ボタン構造とタッチセンサ構造のうちの少なくとも１つをを備える。
【０００８】
より好ましくは、支払いインターフェイスは、電子チケットセンサ、コードセンサおよびキャッシュセンサのうちの少なくとも１つを備える。
【０００９】
より好ましくは、前記出力コントローラは、商品供給部材、電子チッケト印刷部材、ＦＡＸ部材および電子レシート印刷部材のうちの少なくとも１つを備える。
【００１０】
より好ましくは、コントローラは、返金命令を出力する第二出力端をさらに備え、支払いインターフェイスの入力端は、コントローラの第二出力端にさらに接続し、返金命令を受信して返金する。
【００１１】
より好ましくは、使用者インターフェイスは、残高を表示する第一表示区をさらに備え、第一表示区の制御端はコントローラの第三出力端に接続する。
【００１２】
より好ましくは、使用者インターフェイスは、使用者が選択した商品のリストを同期に表示する第二表示区をさらに備え、第二表示区の入力端はコントローラの第三出力端に接続する。
【００１３】
より好ましくは、使用者インターフェイスは、使用者による商品選択のキャンセルを検出するキャンセルユニットをさらに備え、コントローラは、第三入力端をさらに備え、第三入力端はキャンセルユニットに接続し、使用者による商品選択をキャンセルする命令を受信し、コントローラの第三出力端はキャンセル命令を出力し、第一表示区の入力端がキャンセル命令を受信した後、支払情報を表示し、第二表示区の入力端がキャンセル命令を受信した後、商品選択命令を受信していない時の表示内容を表示する。
【００１４】
より好ましくは、使用者インターフェイスは、使用者の商品選択確認を検出する確認ユニットを備え、確認ユニットの出力端はコントローラの第一入力端に接続し、前記コントローラが使用者による商品選択を確認する命令を受信した後、コントローラの第一出力端が商品出力命令を出力する。
【考案の効果】
【００１５】
上述のように、本考案の販売インターフェイス整合システムは、入力ユニットで入力された複数の種類の商品項目を表す複数の商品選択命令を介して商品の販売過程を減少する。また、入力ユニットに入力パラメータを設定し、そして配置されたプログラムを介して商品単位または種類を表す商品選択命令に変換することによって、この販売システムの適用性を上げる。
【図面の簡単な説明】
【００１６】
【図１】本考案の販売インターフェイス整合システムのブロック図。
【考案を実施するための形態】
【００１７】
本考案をより完全に理解するために、本考案の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明する。
【００１８】
先に説明するのは、要素が他の要素に“設置される”場合に、その要素は他の要素に固定されるまたは取付可能に固定されることができる。要素が他の要素に“接続される”場合に、その要素は他の要素に直接に接続されるまたはその間に中間要素を含むことができる。また、用語「第一」、「第二」および「第三」は単に説明のためのみに用いられ、相対的な重要性又は順序関係を明示或いは暗示するものではない。
【００１９】
以下は添付図面及び説明により、本考案の販売インターフェイス整合システムの実施例を説明し、また、より理解しやすくするために、以下の実施例における同じ要素は同じ符号で表示する。
【００２０】
図１に示されるのは、本考案の販売インターフェイス整合システムのブロック図である。図面に示されるように、ハウジング１に収容される販売インターフェイス整合システム１０は使用者インターフェイス１０２を備え、使用者インターフェイス１０２は少なくとも１つの入力ユニット１０２２を備え、入力ユニット１０２２は少なくとも１つの商品項目１０２１を表示する。使用者インターフェイス１０２はコントローラ１０３に電気接続される。出力コントローラ１０５および支払いインターフェイス１０４は、別々にコントローラ１０３に電気接続される。コントローラ１０３、使用者インターフェイス１０２、支払いインターフェイス１０４および出力コントローラ１０５はハウジング１の内部に設置される。
【００２１】
続いて、使用者インターフェイス１０２は、消費者が販売インターフェイス整合システム１０を操作するように提供され、使用者インターフェイスに設置される商品の単位または種類を表示する商品項目１０２１、および実体ボタン構造またはタッチセンサ構造である入力ユニット１０２２を介して販売インターフェイス整合システム１０を操作する。使用者インターフェイス１０２は、サンプルの固定看板とタッチディスプレイ装置のうち少なくとも１つを備える。また、使用者インターフェイス１０２は、表示区をさらに設置することができる。表示区は少なくとも第一表示区および第二表示区に別れ、第一表示区は残金を表示し、第二表示区は使用者が選択した商品のリストを同期に表示する。
【００２２】
そのうち、入力ユニット１０２２はコントローラ１０３に制御され、入力された命令は、商品項目の種類および単位の情報を含む命令、またはその入力された情報を削除する命令であり、且つ入力された命令は操作過程および販売インターフェイス整合システム１０に販売される商品項目によって調整される。使用者インターフェイス１０２は同時にキャンセルユニットおよび確認ユニットを設置することができる。キャンセルユニットおよび確認ユニットは入力ユニット１０２２と同じようにボタンおよびタッチの方式で実現することができる。キャンセルユニットは使用者による商品選択をキャンセルする操作を検出し、確認ユニットは使用者による商品選択を確認する操作を検出する。入力ユニット１０２２、キャンセルユニットおよび確認ユニットはコントローラ１０３に接続され、相応な命令をコントローラ１０３に送信する。
【００２３】
そのうち、支払いインターフェイス１０４は消費者の支払いを受けて、その金額を計算して支払情報を生成してコントローラ１０３に送信する。そのうち、支払いインターフェイス１０４は、電子チケット、コードまたはキャッシュのような支払い方法に対応するように電子チケットセンサ、コードセンサおよびキャッシュセンサのうちの少なくとも１つを備える。さらに、コントローラ１０３は支払いインターフェイス１０４を制御して返金することができる。
【００２４】
出力コントローラ１０５はコントローラ１０３から受信した商品供給命令を実行して消費者に商品を提供し、そのうち、出力コントローラ１０５は、現有の商品を提供、電子チケットを印刷、ＦＡＸ、電子チケットを送信などの方式によって商品を提供するように商品供給部材、電子チッケト印刷部材、ＦＡＸ部材および電子レシート印刷部材のうちの少なくとも１つをさらに備える。
【００２５】
上述のように、本考案の整合システムを説明すると共に、本考案の整合方法の概念について説明したが、より明瞭にするために、以下に実際に応用するシーンを参照しながら説明する。
【００２６】
実施例１：販売インターフェイス整合システムの実施例は、ストラップ、記念品などのものを提供する自動販売設備に使用できる。例えば、ストラップの値段は７０円、記念品は４０円であり、消費者が支払いインターフェイス１０４を介して１０００円を支払った後、支払いインターフェイス１０４が１０００円の支払情報を生成してコントローラ１０３に送信する。
【００２７】
そして、消費者がストラップを表す入力ユニット１０２２を５回押して、入力ユニット１０２２が５つのストラップ選択命令を生成した後、コントローラ１０３に送信して、コントローラ１０３が５回の引き落としを実行し、その５回のストラップ選択命令を情報リストにまとめる。コントローラ１０３が使用者インターフェイス１０２を制御して、残高６５０円を表示する。
【００２８】
この時、消費者が記念品を表す入力ユニット１０２２を５回押して、入力ユニット１０２２が５つの記念品選択命令を生成した後、コントローラ１０３に送信して、コントローラ１０３が５回の引き落としを実行する。それと同時に、コントローラ１０３が使用者インターフェイス１０２を制御して、残高４５０円を表示する。
【００２９】
この時、もし消費者がまだ購買意欲があって、且つ残高が足りるなら、消費者は残高より低い金額の商品を表す入力ユニット１０２２を押すことにより商品選択命令が生成され商品を購入することができ、且つ相応な金額が引き落とされる。また、もし消費者が返金したいなら、返金を表す入力ユニット１０２２を押して事前に支払った１０００円を取り戻すと共に、使用者インターフェイス１０２が最初の状態に戻す。また、消費者が購買を確認する場合に、コントローラ１０３は出力コントローラ１０５を制御して５つのストラップおよび５つの記念品を消費者に提供し、且つ支払いインターフェイス１０４を制御して４５０円のお釣りを出金する。
【００３０】
上述のように、本実施例において、消費者が支払いインターフェイス１０４を介して支払い金額を支払った後に、購入したい商品を表す入力ユニット１０２２を複数回押して、購買完了後に確認を表す入力ユニット１０２２を押すことにより、出力コントローラ１０５によって選択された商品を取得して、支払いインターフェイス１０４からお釣りを領収する。
【００３１】
実施例２：
本販売インターフェイス整合システムの実施例は、炭酸飲料、コーヒーを提供する自動販売設備である。コーヒーの値段は２０円であり、炭酸飲料は３０円である。消費者が支払いインターフェイス１０４を介して１００円を支払った後、支払いインターフェイス１０４が１００円である支払情報を生成し、その支払情報をコントローラ１０３に送信する。
【００３２】
その後、消費者がコーヒーを表す入力ユニット１０２２を押すことにより、コーヒー選択命令を生成してコントローラ１０３に送信して２０円を引き落とす。そしてコントローラ１０３が使用者インターフェイス１０２を制御して残高８０円を表示する。
【００３３】
それと同時に、コントローラ１０３が出力コントローラ１０５を制御してコーヒー選択命令によって、随時に購買したコーヒーを消費者に提供する。
【００３４】
その後、消費者が炭酸飲料を表す入力ユニット１０２２を押すことにより、炭酸飲料選択命令を生成してコントローラ１０３に送信して３０円を引き落とす。そしてコントローラ１０３が使用者インターフェイス１０２を制御して残高５０円を表示する。
【００３５】
それと同時に、コントローラ１０３が出力コントローラ１０５を制御して炭酸飲料選択命令によって、随時に購買した炭酸飲料を消費者に提供する。
【００３６】
上述する販売過程の中に、もし消費者がまだ購買意欲があって、且つ残高が足りるなら、消費者は商品金額が残高より低い物を表す入力ユニット１０２２を押すことにより商品選択命令が生成されて商品を購入することができ、且つ相応な金額が引き落とされる。また、もし消費者は購買意欲がなかったら、お釣りを表す入力ユニット１０２２を押してコントローラ１０３にお釣り入力命令を送信し、コントローラ１０３が支払いインターフェイス１０４を制御して残高を出金する。
【００３７】
上述のように、本実施例において、消費者が支払いインターフェイス１０４を介してお金を支払った後、購入したい商品を表す入力ユニット１０２２を毎回押すことによって、出力コントローラ１０５が相応に商品を供給し、購入完了後に、お釣りを表す入力ユニットを押して、支払いインターフェイス１０４を介して残高を領収する。
【００３８】
実施例３：
本考案の販売インターフェイス整合システムの実施例は、日付が１／１４、１／１６であり、起点および終点が台北、桃園、嘉義、高雄を含む切符を販売する自動販売設備である。
【００３９】
この時、消費者が１／１４を表す入力ユニット１０２２を押すことによって、１／１４を表す入力ユニット１０２２が１／１４を表す入力パラメータをコントローラ１０３に送信し、そして、消費者が起点が台北を表す入力ユニット１０２２を押すことにより、起点が台北を表す入力ユニット１０２２が起点が台北を表す入力パラメータをコントローラ１０３に送信し、また、消費者が終点が嘉義を表す入力ユニット１０２２を押すことにより、終点が嘉義を表す入力ユニット１０２２が終点が嘉義を表す入力パラメータをコントローラ１０３に送信する。その時、コントローラ１０３は１／１４を表す入力パラメータ、起点が台北を表す入力パラメータ、および終点が嘉義を表す入力パラメータによって、１／１４に台北から嘉義行きの切符を表す商品選択命令を生成し、且つ入力パラメータによってその切符の値段は６００円である結果を得る。
【００４０】
そして、コントローラ１０３が使用者インターフェイス１０２を制御して、選択リストに１／１４に台北から嘉義行きの商品選択命令を表示し、且つその値段は６００円であることを表示する。
【００４１】
その後、消費者が１／１６を表す入力ユニット１０２２を押すことによって、１／１６を表す入力ユニット１０２２が１／１６を表す入力パラメータをコントローラ１０３に送信し、そして、消費者が起点が高雄を表す入力ユニット１０２２を押すことにより、起点が高雄を表す入力ユニット１０２２が起点が高雄を表す入力パラメータをコントローラ１０３に送信し、また、消費者が終点が桃園を表す入力ユニット１０２２を押すことにより、終点が桃園を表す入力ユニット１０２２が終点が桃園を表す入力パラメータをコントローラ１０３に送信する。その時、コントローラ１０３は１／１６を表す入力パラメータ、起点が高雄を表す入力パラメータ、および終点が桃園を表す入力パラメータによって、１／１６に高雄から桃園行きの切符を表す商品選択命令を生成し、且つ入力パラメータによってその切符の値段は７００円であることを得る。
【００４２】
そして、コントローラ１０３が使用者インターフェイス１０２を制御して、選択リストに１／１６に高雄から桃園行きの商品選択命令を表示し、且つその値段は７００円であることを表示する。
【００４３】
その時、使用者インターフェイス１０２には、１／１４に台北から嘉義行きの商品選択命令および１／１６に高雄から桃園行きの商品選択命令が購入リストに表示され、そして１／１４に台北から嘉義行きの切符の値段は６００円、１／１６に高雄から桃園行きの切符の値段が７００円、および総購入金額は１３００円であることを表示する。
【００４４】
この時、消費者がリストを確認して、また他の購買が必要なら、他の商品を表す入力ユニットを押せば良い。また、購入が不要であれば、購買キャンセルを表す入力ユニット１０２２を押して、購買キャンセル命令を生成してコントローラ１０３に送信し、その購入リストを消して元の状態に戻す。また、消費者が購買を確認すると、決済を表す入力ユニット１０２２を押して、決済命令をコントローラ１０３に送信する。
【００４５】
この時、消費者は支払いインターフェイス１０４を介して支払って、支払情報を生成し、コントローラ１０３は支払情報が購入リストの金額１３００円より多いかを判断する。もし支払情報が購入リストの金額１３００円より少ない場合に、消費者は支払待ちの情報によって支払いインターフェイス１０４を介して金額を補足する。もし支払情報が購入リストの金額１３００円より多い場合に、商品領収を表す入力ユニット１０２２を消費者に提供する。
【００４６】
消費者が商品領収を表す入力ユニット１０２２を押すことによって、商品領収命令をコントローラ１０３に送信し、コントローラ１０３は出力コントローラ１０５を制御して１／１４に台北から嘉義行きの切符、および１／１６に高雄から桃園行きの切符を消費者に提供する。また、支払情報が購入リストの金額１３００円より多い場合に、支払いインターフェイス１０４を介してお釣りを出金する。
【００４７】
そのうち、前記販売過程の途中に、消費者は購買キャンセルを表す入力ユニット１０２２を押すことによって、購買キャンセル命令をコントローラ１０３に送信し、コントローラ１０３は購買キャンセル命令に基づいて支払いインターフェイス１０４を制御して支払った金額を消費者に返金し、且つ使用者インターフェイス１０２を制御して最初の画面に戻す事ができる。
【００４８】
上述のように、本実施例において、消費者は異なる入力パラメータを表す入力ユニット１０２２を押すことによって、相応な入力パラメータ命令をコントローラ１０３に送信し、コントローラ１０３は受信した入力パラメータ命令に基づいて相応な商品選択命令を生成し、商品の値段を計算して使用者インターフェイス１０２に購入リストを表示する。消費者は購入リストを確認して支払過程に進み、支払いインターフェイス１０４を介して支払待ちの金額を支払うと、選択された商品を入手する。
【００４９】
実施例４：
本考案の販売インターフェイス整合システムの実施例は、炭酸飲料、カップ麺、コーヒー、ナイフとフォーク、スプーンと箸、歯磨き粉と歯ブラシ、フロッシングなどの商品を提供するように使用される。そのうち、炭酸飲料の値段は３０円であり、カップ麺の値段は４０円であり、コーヒーの値段は３０円であり、ナイフとフォークの値段は６０円であり、スプーンと箸の値段は２０円であり、歯磨き粉と歯ブラシの値段は８０円であり、フロッシングの値段は４０円である。消費者が支払いインターフェイス１０４を介して５００円を支払った後に、支払いインターフェイス１０４が５００円の支払情報を生成してコントローラ１０３に送信する。
【００５０】
その後、消費者がコーヒーを表す入力ユニット１０２２を押すことにより、コーヒー選択命令を生成してコントローラ１０３に送信して３０円を引き落とす。そしてコントローラ１０３が使用者インターフェイス１０２を制御して残高４７０円を表示し、且つ選択されたコーヒーを購入リストに追加する。
【００５１】
その後、消費者がスプーンと箸を表す入力ユニット１０２２を押すことにより、スプーンと箸選択命令を生成してコントローラ１０３に送信して２０円を引き落とす。そしてコントローラ１０３が使用者インターフェイス１０２を制御して残高４５０円を表示し、且つ選択されたスプーンと箸を購入リストに追加する。
【００５２】
そして、消費者が炭酸飲料を表す入力ユニット１０２２を２回押すことにより、炭酸飲料選択命令を２回生成してコントローラ１０３に送信して３０円を２回引き落とす。１回目のとき使用者インターフェイス１０２に表示された残高は４２０円であり、２回目のとき使用者インターフェイス１０２に表示された残高は３９０円であり、且つ選択された二つの炭酸飲料を購入リストに追加する。
【００５３】
その時、もし消費者がまだ購買意欲があって、且つ残高が足りるなら、消費者は商品金額が残高より低い物を表す入力ユニット１０２２を押すことにより商品選択命令を生成して商品を購入することができ、且つ相応な金額を引き落とす。また、消費者が再選択したいなら、再選択を表す入力ユニット１０２２を押すことにより、使用者インターフェイス１０２に最初の画面および支払情報を表示する。また、もし消費者が返金したいなら、返金を表す入力ユニット１０２２を押して支払った５００円を取り戻す。また、消費者が注文確認を表す入力ユニット１０２２を押すなら、コントローラ１０３は出力コントローラ１０５を制御して、コーヒー一杯、炭酸飲料二つ、およびスプーンと箸一セットを消費者に提供し、且つ支払いインターフェイス１０４を制御してお釣りの３９０円を出金する。
【００５４】
そのうち、出力コントローラ１０５が商品を消費者に提供するステップとしては、出力コントローラ１０５内に配置された商品を消費者に提供するステップと、消費者が商品を取扱時に使用する取扱データを生成し、通信接続を構成する物流センターに当該取扱データを送信し、且つ消費者が使用できるように使用者インターフェイス１０２に取扱データを表示するステップがある。
【００５５】
上述のように、本実施例において、消費者が支払いインターフェイス１０４を介してお金を支払った後に、購入したい商品を表す入力ユニット１０２２を毎回押すことにより、使用者インターフェイス１０２に購入リストおよび残高を表示し、消費者が注文確認を表す入力ユニット１０２２を押すと、このシステムは出力コントローラ１０５を介して相応な商品を提供し、且つ支払いインターフェイス１０４を介して残高を消費者に出金する。
【００５６】
本考案は実施例により開示されたが、それは本考案の範囲を限定するためのものではない。当業者であれば、本考案の範囲及び趣旨を逸脱することなく均等範囲内における変更及び修正をすることができるため、本考案が保護を要求する範囲は添付の実用新案登録請求の範囲で扱うものとする。
【符号の説明】
【００５７】
１０：販売インターフェイス整合システム
１０２：使用者インターフェイス
１０２１：商品項目
１０２２：入力ユニット
１０３：コントローラ
１０４：支払いインターフェイス
１０５：出力コントローラ
１：ハウジング
【図１】
0003217001.tif 000003